(57)【要約】      （修正有）【課題】使用材料の量を抑えながらも、上向き板部の耐曲げ強度と支持強度を維持させた留付け金具にする点と、汎用２種類の外壁板のいずれも取り付けが行える留付け金具の提供。【解決手段】留付け金具１は水平板部５を有し、水平板部５の前端には上向き板部８が折曲形成されている。上向き板部８の左右の外側縁部と、各側縁部と隣り合う位置にある水平板部の前端内側縁部とは、絞り加工によって形成された側面視細幅三角形状を有する傾斜側板部９Ｌ，９Ｒによって接続されている。水平板部５の下面には低段部の下部になる膨出部７Ｌ，７Ｒが絞り加工により形成されている。【選択図】図１
2020186580.tif 000002
【特許請求の範囲】
【請求項１】
建築用外壁板の留付け金具であって、
建物側の支持部材に装着する面になる背板部と、該背板部の下端部又は高さ途中個所の全体又は一部が前方に折曲されて形成された水平板部とを有し、
該水平板部の前端部が折曲されて、上方に向けて折曲された上向き板部と、下方に向けた下向き板部とが横方向に並んで設けられており、
前記上向き板部は、側面視において、下端縁部が上端縁部よりも若干後方に位置する向きの傾斜面となっており、且つ正面視において、前記上端縁部が前記下端縁部よりも幅短い台形形状を有し、
該上向き板部の左右の外側縁部と、該各側縁部と隣り合う位置にある前記水平板部の内側に位置する内側縁部とは、側面視細幅三角形状を有する傾斜側板部によって接続されていることを特徴とする留付け金具。
【請求項２】
前記傾斜側板部は、前記上向き板部の成形で行われるプレス加工に伴う絞り加工によって形成されている、請求項１に記載の留付け金具。
【請求項３】
前記上向き板部は、前記水平板部の前端部の中央側に設けられ、該上向き板部の両側方に、前記下向き板部が夫々設けられている、請求項１又は２に記載の留付け金具。
【請求項４】
前記背板の両側には、夫々前方に向けた側板部が設けられている、請求項１乃至３のいずれかの項に記載の留付け金具。
【請求項５】
前記水平板部の前端近傍であって、左右両端近傍となる個所には、横長形状の浅い低段部が形成されており、
前記各個所の裏面には、該各低段部の裏面部になる膨出部が夫々設けられ、
該各膨出部は、下段の外壁板の下端部における内側突出部の上面に接する高さがあり、
該各膨出部の後部面は、前記内側突出部の前面になる傾斜面に合せた傾斜角がある、請求項１乃至４のいずれかの項に記載の留付け金具。
【発明の詳細な説明】
【技術分野】
【０００１】
本願発明は、使用材料の量を抑えながらも、耐曲げ強度と支持強度を維持させた留付け金具に関し、最適とされる留付け金具は、上下段の組み付け接合構造が異なる汎用２種類の外壁板のいずれにも対応できる。
【背景技術】
【０００２】
建築用の外壁板は、外壁材、外壁ボード、外壁板、サイディング等、多様な名称で呼ばれており、現在、多くの家屋の外壁に用いられている。外壁板は、留付け金具を介して、建物の野地板、柱材、桟材等の支持部材に装着される。
留付け金具は、上段の外壁板の下端部と下段の外壁板の上端部とによる組付け構造の内側にある隙間内に挟み付けた取り付けがされる。
【０００３】
特許文献１に記載の接合金具（留付け金具）は、同特許文献の図３に示すように、上向き嵌合爪３と、下向き嵌合爪４とを備えている。双方の嵌合爪３，４は、背板に相当する基台２の一部を水平前方に切り起こした水平板部の前端に折曲形成されている。
該水平板部は、下段の外壁板（外壁材）１１の内側突出部の上端部に挟み付けた状態で載置され、上段の外壁板（外壁材）１１の下端部を内側から下支えする。
基台２と上向き接合爪３は、挟み付けによって、上段の外壁板（外壁材）１１の内側下端部を前後方向の位置決めをした固定をする。
基台２と上向き接合爪４は、挟み付けによって、下段の外壁板（外壁材）１１の内側上端部を前後方向の位置決めをした固定をする。
この接合金具（留付け金具）に限らず、上段と下段の外壁板を突き合わせて取り付ける施工で用いられる留付け金具は、上向き接合爪（上向き板部）と下向き接合爪（下向き板部）とを備えている。
【０００４】
特許文献１及び特許文献２に示すように、上向き板部と下向き板部は、いずれも平板の切り起こしと曲げ加工がされた形状を有する。
家屋施工後の外壁板は、上向き板部と下向き板部とによって位置決めと固定がされているため、位置ズレや脱落は生じないが、永年経過に伴う家屋の歪み、大型台風時における引き方向の負圧、地震時における家屋の揺れなどによって、外壁板に過度の負担が増加し、外壁板を留め付けている留付け金具にも引き方向の大きな曲げ負担が掛ることがある。
留付け金具の板厚を厚くすると、耐曲げ強度を向上させることができるが、材料コストが高くなる。
【先行技術文献】
【特許文献】
【０００５】
【特許文献１】実用新案登録第３００１４５７号公報
【特許文献２】意匠登録第１４２６２５２公報
【発明の概要】
【発明が解決しようとする課題】
【０００６】
本願発明が解決しようとする課題は、使用材料の量を抑えながらも、上向き板部の耐曲げ強度と支持強度を維持させた留付け金具にする点にある。
また、更に、組み付け構造が異なる汎用２種類の外壁板のいずれも取り付けが行える留付け金具にする点にある。
【課題を解決するための手段】
【０００７】
請求項１に対応した留付け金具は、次の構成を備える。
（１）建築用外壁板の留付け金具である。
（２）建物側の支持部材に装着する面になる背板部と、該背板部の下端部又は高さ途中個所の全体又は一部が前方に折曲されて形成された水平板部とを有し、
該水平板部の前端部が折曲されて、上方に向けて折曲された上向き板部と、下方に向けた下向き板部とが横方向に並んで設けられている。
（３）前記上向き板部は、側面視において、下端縁部が上端縁部よりも若干後方に位置する向きの傾斜面となっており、且つ正面視において、前記上端縁部が前記下端縁部よりも幅短い台形形状を有する。
（４）該上向き板部の左右の外側縁部と、該各側縁部と隣り合う位置にある前記水平板部の内側に位置する内側縁部とは、側面視細幅三角形状を有する傾斜側板部によって接続されている。
【０００８】
請求項２に対応した留付け金具は、次の構成を備える。
（１）請求項１に記載の構成を備える。
（２）前記傾斜側板部は、前記上向き板部の成形で行われるプレス加工に伴う絞り加工によって形成されている。
【０００９】
請求項３に対応した留付け金具は、次の構成を備える。
（１）請求項１又は２に記載の構成を備える。
（２）前記上向き板部は、前記水平板部の前端部の中央側に設けられ、該上向き板部の両側方に、前記下向き板部が夫々設けられている。
【００１０】
請求項４に対応した留付け金具は、次の構成を備える。
（１）請求項１乃至３のいずれかの項に記載の構成を備える。
（２）記背板の両側には、夫々前方に向けた側板部が設けられている。
【００１１】
請求項５に対応した留付け金具は、次の構成を備える。
（１）請求項１乃至４のいずれかの項に記載の構成を備える。
（２）前記水平板部の前端近傍であって、左右両端近傍となる個所には、横長形状の浅い低段部が形成されている。
（３）前記各個所の裏面には、該各低段部の裏面部になる膨出部が夫々設けられている。
（４）該各膨出部は、下段の外壁板の下端部における内側突出部の上面に接する高さがある。
（５）該各膨出部の後部面は、前記内側突出部の前面になる傾斜面に合せた傾斜角がある。
【発明の効果】
【００１２】
請求項１に対応した留付け金具によれば、傾斜姿勢になっている前記上向き板部の両側縁部が側面視細幅三角形状を有する傾斜側板部によって下支え支持されているため、強い耐曲げ強度と、強い形状安定性が確保される。この結果、前記上向き板部による上部側の外壁板の支持強度が格段に向上する。
【００１３】
請求項２に対応した留付け金具によれば、前記傾斜側板部が前記上向き板部のプレス成形に伴う絞り加工で形成されているため、上向き板部とこの両側方の水平板部分とが傾斜板部を介して一体成形された形状になる。この結果、より一層形状安定した上向き板部になる。
【００１４】
請求項３に対応した留付け金具によれば、留付け金具の左右中央となる個所に形状安定性のある上向き板部が配置されているため、上向き板部の両側方に前記傾斜側板部を成形し易くする平板部分が確保される。
【００１５】
請求項４に対応した留付け金具によれば、前記背板の両側に前記側板部が設けられているため、この側板部の一部を切り起こして前記水平板部を下受け支持することができる。
また、該側板は外壁板の背面側の位置決めをするスペーサにもなる。
側板部は従来の留付け金具にも設けられているが、側板部が無い留付け金具もあるため、本願発明においては、この項において側板部を必須として備えた留付け金具にした。
【００１６】
請求項５に対応した留付け金具によれば、前記水平板部の前端近傍であって、左右両端近傍となる個所に低段部が形成した結果、この個所の下面に、国内主要外壁板製造会社の２社が製造販売する外壁板の上端部を支持する膨出部を設けることができた。
このため、汎用２種類の外壁板に共通して使用できる留付け金具にすることができる。
【図面の簡単な説明】
【００１７】
【図１】（ａ）は本願発明第１実施形態に係る留付け金具の斜視図、（ｂ）は同じく正面図。
【図２】同じく背面側から見た斜視図。
【図３】（ａ）はこの留付け金具の右側面図、（ｂ）は図１（ｂ）におけるＡ−Ａ断面図、（ｃ）は図１（ｂ）におけるＢ−Ｂ断面図。
【図４】（ａ）はこの留付け金具の平面図、（ｂ）は図４（ａ）の前部を示した平面図、（ｃ）は図４（ｂ）におけるＣ−Ｃ断面図、（ｄ）はＤ−Ｄ断面図。
【図５】（ａ）は傾斜側板部で支持補強された上向き板部の斜視図、（ｂ）は同じく平面図、（ｃ）は正面図、（ｄ）は左側面図、（ｅ）は右側面図。
【図６】（ａ）はニチハ株式会社製の外壁板を本願発明実施形態に掛る留付け金具を用いて上下に組み付ける途中の状態を示した斜視図、（ｂ）はこの外壁板の突合せ構造図。
【図７】ニチハ株式会社製の外壁板を本願発明実施形態に掛る留付け金具を用いて上下に組み付ける途中の状態を示した側面断面図、（ｂ）はこの要部拡大図。
【図８】（ａ）はケイミュー株式会社製の外壁板を本願発明実施形態に掛る留付け金具を用いて上下に組み付ける途中の状態を示した斜視図、（ｂ）はこの外壁板の突合せ構造図。
【図９】ケイミュー株式会社製の外壁板を本願発明実施形態に掛る留付け金具を用いて上下に組み付ける途中の状態を示した側面断面図、（ｂ）はこの要部拡大図。
【図１０】本願発明第２実施形態に係る留付け金具の斜視図。
【発明を実施するための形態】
【００１８】
以下、本願発明に係る留付け金具の好適なる実施形態を、図面に沿って詳述する。
【００１９】
〔第１実施形態の留付け金具〕
図１乃至図４において本願発明第１実施形態に係る留付け金具１を示す。
留付け金具１は、背板部２と、左右の側板部３Ｌ，３Ｒと、左右の前板部４Ｌ，４Ｒと、水平板部５と、左右の下向き板部６Ｌ，６Ｒと、左右の低段部７Ｌ，７Ｒと、上向き板部８と、左右の傾斜側板部９Ｌ，９Ｒとを主要部として備えた亜鉛メッキ鋼板製のプレス成型品である。
【００２０】
背板部２は、長方形を有し、留付け金具１を建物側の支持部材に装着する面になる。
背板部２の略中央個所には、この装着用の木ねじを挿通させる開孔部２２が設けられている。図示する開孔部２２は平坦な面に設けられている。
図示していないが、木ねじを若干斜め下方に向けて挿通させる取付け施工が行えるように、背板部２における開孔部２２の周囲の面は、前方に突出した傾斜面であってもよい。
開孔部２２の左右側方個所には、前記装着用の釘を挿通させる開孔部２３，２３が設けられている。
背板部２の上部には、背板部２の反りを防ぎ強度向上させる１本の凸段形状を有する補強部Ｐ１が左右両端に至り形成されている。
【００２１】
側板部３Ｌ，３Ｒは、背板部２の両端縁部を前方に折曲させて形成されている。
側板部３Ｌ，３Ｒには、前後方向に長い１本の凹凸形状を有する補強部Ｐ３，Ｐ３が形成されており、補強部Ｐ３，Ｐ３によって側板部３Ｌ，３Ｒの反りやねじれが阻止されている。
側板部３Ｌ，３Ｒは、外壁板を目地板等から前方に浮かして取り付けるためのスペーサとしての機能と、水平板部５の両端部を下支えする機能等がある。
側板部３Ｌ，３Ｒは、背板部２の下端部よりも下方に長く突出した形状を有し、突出した部分は、留付け金具１の取り付け姿勢をより一層安定させる。
【００２２】
前板部４Ｌ，４Ｒは、側板部３Ｌ，３Ｒの前端縁部に沿った個所を互いに離反する横方向に折曲させて形成されており、横幅が短い形状を有する。
前板部４Ｌ，４Ｒは、外壁板の背面を沿わせる面になる。
【００２３】
水平板部５は、背板部１の下縁部の中央部分を残す個所を前方に折曲させて形成されている。
水平板部５の前端は、側板部３Ｌ，３Ｒよりも前方に突出しており、更に、前板部４Ｌ，４Ｒの前方位置まで横方向に突出している。
水平板部５の前方と横方向に突出した面は、上段の外壁板の内側下端面を下支えする面になる。
【００２４】
水平板部５の中央面から後端部に至る個所は、略矩形の開口部５１になっておる。
開口部５１を設けると、背板２下方には背板舌片部２１が形成される。
背板舌片部２１にも、幅広い低段面の補強部Ｐ２が形成されている。
水平板部５の左右寄りの個所には、背板２の下部にまで至る凹凸形状の補強部Ｐ４，Ｐ４が設けられている。
この補強部４Ｐ，４Ｐは、水平板部５の外圧荷重による下方に向けた変形を抑える。
水平板部５の耐外圧荷重は、側板部３Ｌ，３Ｒの一部個所を内側方向に切り起こした下受け部３１Ｌ，３１Ｒに支えられて、満たされている。
【００２５】
留付け金具１は、背板２と、左右の側板部３Ｌ，３Ｒの後端縁部と、背板舌片部２１とを支持部材に沿わせた状態で、支持部材に取り付けられる。
【００２６】
上向き板部８は、水平板部５の前端縁部の中央部分を幅広く斜め上方に折曲させて形成された、傾斜面になっている。
図４（ａ）において、上向き板部８の傾斜角θは、約２７°であり、この傾斜角は、外壁板の下端部における内側突出部の前面になる傾斜面に合せた角度に合せてある。
上向き板部８は、上段の外壁板の下端部における内側突出部を前方から挟みつける面になる。
この内側突出部の前面は傾斜角があり、上向き板部８の傾斜角は、この傾斜角に合せてある。
図４（ａ）に示す斜線部分は、後述する低段部７Ｌ，７Ｒを絞り加工する際の抑え面になる。
【００２７】
図５に示すように、上向き板部８は、側面視において、下端縁部８ａが上端縁部８ｂよりも若干後方に位置する向きの傾斜面となっており、且つ正面視において、上端縁部８ｂが下端縁部８ａよりも幅短い台形形状を有する。
【００２８】
図１、図３、図４、図５に示すように、上向き板部８の左右の外側縁部と、該各側縁部と隣り合う位置にある水平板部５の内側部とは、側面視細幅三角形状を有する傾斜側壁部９Ｌ，９Ｒによって接続されている。
傾斜側壁部９Ｌ，９Ｒは、上向き板部８のプレス立上げ加工に伴う絞り加工によって形成されている。
【００２９】
図１、図３、図４に示すように、水平板部５の前端近傍であって、左右両端近傍となる個所には、横長形状の浅い低段部７Ｌ，７Ｒが形成されている。
低段部７Ｌ，７Ｒは、一般のプレス加工によって形成することも可能であるが、本発明実施形態においては、絞り加工によって形成されている。
低段部７Ｌ，７Ｒは、平面視において四隅を大きく丸めた形状の矩形状を有し、底面は略平坦面になっている。
【００３０】
水平板部５を下面側から見ると、低段部７Ｌ，７Ｒは膨出部７１Ｌ，７１Ｒとなって表れる。
膨出部７１Ｌ，７１Ｒの高さｈは、下段の外壁板の上端部における内側突出部の上面に接する高さに設定されている。より具体的には、この高さｈは、例えば１，８〜１０ｍｍである。
【００３１】
膨出部７１Ｌ，７１Ｒの後部面は、下段の外壁板の上端部における内側突出部の前面になる傾斜面よりも手前側に位置する。
【００３２】
留付け金具１は、ニチハ株式会社製の汎用外壁板の取り付けと、図８（ａ）、図９（ａ）（ｂ）に示すように、ケイミュー株式会社製の汎用外壁板の取り付けのいずれにも対応した、共通留付け金具である。
【００３３】
図６（ａ）、図７（ａ）（ｂ）は、ニチハ株式会社製の汎用外壁板の取り付け状態を示している。
ニチハ株式会社製の汎用外壁板には、上段の外壁板１００Ａの下端部と、下段の外壁板１００Ｂの上端部とによる突合せ構造が図６（ｂ）に示すタイプのものがある。
上段の外壁板１００Ａと、下段の外壁板１００Ｂとは同じ形状である。
図６（ｂ）に示すように、外壁板１００Ｂの上端部における内側突出部１２０の前面は斜面１２１である。
双方の外壁板１００Ａ、１００Ｂは、各内側突出部１１０，１２０の対向端面が、極めて接近した状態、或いは接した状態で突き合わされる。
この突き合せ構造になるニチハ株式会社製の上段の外壁板１００Ａと下段の外壁板１００Ｂとは、図６（ａ）、図７（ａ）（ｂ）に示すように、下段の外壁板１００Ｂの内側突出部１２０は、水平板部５の下面における前板部４ｌ、４Ｒよりも前方になる面に接し、斜面１２２が膨出部７Ｌ，７Ｒの後部面に接した状態となって、留付け金具１が装着される。
【００３４】
図８（ａ）、図９（ａ）（ｂ）は、ケイミュー株式会社製の汎用外壁板の取り付け状態を示している。
ケイミュー株式会社製の汎用外壁板には、上段の外壁板２００Ａの下端部と、下段の外壁板２００Ｂの上端部とによる突合せ構造が図８（ｂ）に示すタイプのものがある。
上段の外壁板２００Ａと、下段の外壁板２００Ｂとは同じ形状である。
図８（ｂ）に示すように、下段の外壁板２００Ｂの上端部における内側突出部２２０の前面は垂直面２２１である。
双方の外壁板２００Ａ，２００ｂは、外側の対向面が突合された状態になった状態にあるとき、双方の段の内側突出部２１０，２２０の対向端面は、間隔が生じている。
この突き合わせ構造になるケイミュー株式会社製の下段の外壁板２００Ｂは、図８（ａ）、図９（ａ）（ｂ）に示すように、内側突出部２２０の上面は、膨出部７Ｌ，７Ｒの下面に接した状態となって、留付け金具１が装着される。
【００３５】
〔第２実施形態の留付け金具〕
図１０は第２実施形態の留付け金具１Ａを示している。
この留付け金具１Ａは、左右の側板部が設けられていない、前後幅が狭い構造を有する。其れ以外の部分は、第１実施形態の留付け金具１と共通する。
【産業上の利用可能性】
【００３６】
本願発明に係る留付け金具は、家屋等の建築物の外壁板を施工する分野で使用される。
【符号の説明】
【００３７】
１…留付け金具、２…背板、３Ｌ，３Ｒ…側板部、４Ｌ，４Ｒ…前板部、５…水平板部、６Ｌ，６Ｒ…下向き板部、７Ｌ，７Ｒ…低段部、７１Ｌ，７１Ｒ…膨出部、８…上向き板部、９Ｌ，９Ｒ…傾斜側板部
【図１】
2020186580.tif 000003
【図２】
2020186580.tif 000004
【図３】
2020186580.tif 000005
【図４】
2020186580.tif 000006
【図５】
2020186580.tif 000007
【図６】
2020186580.tif 000008
【図７】
2020186580.tif 000009
【図８】
2020186580.tif 000010
【図９】
2020186580.tif 000011
【図１０】
2020186580.tif 000012